(57)【要約】【課題】特にワープ入球口近くの釘を狙った釘曲げゴト行為を効果的に防止しうる弾球遊技機を提供する。【解決手段】遊技盤１１の盤面に沿って例えば斜め上向きの入球口２５を有するセンターケース１５の他、多数の遊技釘４７が配置された弾球遊技機で、入球口２５から遊技球１個分以上の流下空間５２を隔てて配置された特定遊技釘４７ａと入球口２５との間に配置され且つ特定遊技釘４７ａにより回転自在に支持されたブリッジ部材５１を備え、このブリッジ部材５１は、特定遊技釘４７ａの曲がり角度が所定範囲内にあるときには自由端側の係合部５４が入球口２５側の被係合部５５に係合することにより流下空間５２を閉鎖して遊技球を入球口２５側に誘導し、特定遊技釘４７ａの曲がり角度が所定範囲を外れたときには係合部５４が被係合部５５から外れて流下空間５２を開放するように構成されているものである。【選択図】図５
2008253652.tif 000002
【特許請求の範囲】
【請求項１】
遊技盤（１１）の遊技領域（１２）内に、前記遊技盤（１１）の盤面に沿って略横向き又は斜め上向きに形成された入球口（２５）を有する遊技部品（１５）の他、多数の遊技釘（４７）が配置された弾球遊技機において、前記入球口（２５）から少なくとも遊技球１個分の流下空間（５２）を隔てて配置された特定遊技釘（４７ａ）と前記入球口（２５）との間に配置され且つ所定の回転軸（４７ａ）（６１）により回転自在に支持されたブリッジ部材（５１）を備え、該ブリッジ部材（５１）は、前記特定遊技釘（４７ａ）の曲がり角度が所定範囲内にあるときには当該ブリッジ部材（５１）上の係合部（５４）が前記入球口（２５）側の被係合部（５５）又は前記特定遊技釘（４７ａ）に係合する係合状態となり、前記特定遊技釘（４７ａ）の曲がり角度が前記所定範囲を外れたときに前記係合部（５４）が前記被係合部（５５）又は前記特定遊技釘（４７ａ）から外れて非係合状態となるように構成され、前記係合状態のブリッジ部材（５１）は前記流下空間（５２）を閉鎖して遊技球を前記入球口（２５）側に誘導し、前記非係合状態のブリッジ部材（５１）は前記流下空間（５２）を開放するように構成されていることを特徴とする弾球遊技機。
【請求項２】
前記回転軸が前記特定遊技釘（４７ａ）であり、前記ブリッジ部材（５１）は、前記特定遊技釘（４７ａ）の曲がり角度が所定範囲内にあるときに前記入球口（２５）側端部の係合部（５４）が前記入球口（２５）側の被係合部（５５）に係合する係合状態となり、前記特定遊技釘（４７ａ）の曲がり角度が前記所定範囲を外れたときに前記係合部（５４）が前記被係合部（５５）から外れて非係合状態となるように構成されていることを特徴とする請求項１に記載の弾球遊技機。
【請求項３】
前記回転軸が前記入球口（２５）側に設けられた前後方向の回転軸（６１）であり、前記ブリッジ部材（５１）は、前記特定遊技釘（４７ａ）の曲がり角度が所定範囲内にあるときに前記特定遊技釘（４７ａ）側端部の係合部（５４）が前記特定遊技釘（４７ａ）に係合する係合状態となり、前記特定遊技釘（４７ａ）の曲がり角度が前記所定範囲を外れたときに前記係合部（５４）が前記特定遊技釘（４７ａ）から外れて非係合状態となるように構成されていることを特徴とする請求項１に記載の弾球遊技機。
【請求項４】
前記回転軸が前記遊技盤（１１）と平行に設けられた略左右方向の回転軸（６１）であり、前記ブリッジ部材（５１）は、前記特定遊技釘（４７ａ）の曲がり角度が所定範囲内にあるときに前記特定遊技釘（４７ａ）側端部の係合部（５４）が前記特定遊技釘（４７ａ）に係合する係合状態となり、前記特定遊技釘（４７ａ）の曲がり角度が前記所定範囲を外れたときに前記係合部（５４）が前記特定遊技釘（４７ａ）から外れて非係合状態となるように構成されていることを特徴とする請求項１に記載の弾球遊技機。
【請求項５】
前記係合部（５４）と前記被係合部（５５）又は前記特定遊技釘（４７ａ）とは前記ブリッジ部材（５１）の正逆両回転方向に係合し、その係合状態のとき、前記ブリッジ部材（５１）はその正逆両方向への回転が阻止されるように構成されていることを特徴とする請求項１〜４の何れかに記載の弾球遊技機。
【請求項６】
前記係合状態では、前記係合部（５４）と前記被係合部（５５）又は前記特定遊技釘（４７ａ）とが前記ブリッジ部材（５１）における前側一部分においてのみ係合するように構成されていることを特徴とする請求項１〜５の何れかに記載の弾球遊技機。
【発明の詳細な説明】
【技術分野】
【０００１】
本発明は、パチンコ機等の弾球遊技機に関するものである。
【背景技術】
【０００２】
例えばパチンコ機では、発射手段から発射された遊技球がガイドレールを経て遊技領域へと案内され、その遊技球が、遊技領域内に複数配置されている入賞口の何れかに入賞したときに、その入賞口に応じて所定数の遊技球を賞球として払い出すように構成されている。
【０００３】
この種のパチンコ機では、外枠の前側に開閉可能に枢支された前枠に遊技盤が装着され、またその前枠の前側に、遊技盤の遊技領域に対応するガラス窓を備えたガラス扉、遊技球の貯留皿を備えた前面開閉板等が開閉自在に枢着されている。
【０００４】
ところで、この種のパチンコ機に対するゴト行為として、例えばガラス扉と前枠との隙間などからピアノ線等を挿入し、遊技球が入賞しやすいように遊技釘を曲げるなどして不正に球を搾取するといった行為が問題となっている。
【０００５】
このようなゴト行為に対しては、ガラス扉と前枠との隙間を塞いでピアノ線等の進入経路を絶つ等のハード面での対策（特許文献１参照）が進められてきた他、遊技ホール側はベース値をこまめにチェックしたり、店員の見回りを強化する等の方法で対処してきた。
【特許文献１】特開２００４−２７５２５７号公報
【発明の開示】
【発明が解決しようとする課題】
【０００６】
しかしながら、このような従来のゴト対策では、遊技ホール側の負担が大きいわりにその効果は必ずしも十分ではなく、例えば店員の目を盗んでドリルでガラス扉等に穴を空けて遊技釘を曲げる等の大胆な不正行為が行われたとの報告もある。
【０００７】
また最近のパチンコ機では、液晶ディスプレイ等の図柄表示手段を備えたセンターケースの下側に図柄始動用の入賞口を配置し、そのセンターケースに、遊技球を左右方向に転動させつつ下側、即ち始動入賞口側に落下させるステージと、このセンターケースの側方に設けられ且つ横向き又は斜め上向きに開口するワープ入球口と、このワープ入球口に入球した遊技球をステージに案内するワープ通路とを設けたものが主流となっているが、この種のパチンコ機ではステージ経由で始動入賞口に入賞する確率が高くなる傾向にあるため、釘曲げゴトでワープ入球口近くの釘が狙われたという報告も多くなっている。
【０００８】
本発明は、このような従来の問題点に鑑み、特にワープ入球口近くの釘を狙った釘曲げゴト行為を効果的に防止しうる弾球遊技機を提供することを目的とする。
【課題を解決するための手段】
【０００９】
本発明は、遊技盤１１の遊技領域１２内に、前記遊技盤１１の盤面に沿って略横向き又は斜め上向きに形成された入球口２５を有する遊技部品１５の他、多数の遊技釘４７が配置された弾球遊技機において、前記入球口２５から少なくとも遊技球１個分の流下空間５２を隔てて配置された特定遊技釘４７ａと前記入球口２５との間に配置され且つ所定の回転軸４７ａ，６１により回転自在に支持されたブリッジ部材５１を備え、該ブリッジ部材５１は、前記特定遊技釘４７ａの曲がり角度が所定範囲内にあるときには当該ブリッジ部材５１上の係合部５４が前記入球口２５側の被係合部５５又は前記特定遊技釘４７ａに係合する係合状態となり、前記特定遊技釘４７ａの曲がり角度が前記所定範囲を外れたときに前記係合部５４が前記被係合部５５又は前記特定遊技釘４７ａから外れて非係合状態となるように構成され、前記係合状態のブリッジ部材５１は前記流下空間５２を閉鎖して遊技球を前記入球口２５側に誘導し、前記非係合状態のブリッジ部材５１は前記流下空間５２を開放するように構成されているものである。
【発明の効果】
【００１０】
本発明によれば、特定遊技釘４７ａに対して例えば釘調整範囲を超えるような不正な釘曲げが行われた場合には流下空間５２が開放されて入球口２５への入球率は大きく低下することとなり、結局釘曲げゴトによる目的を達成することはできないから、釘曲げゴト行為を効果的に防止できる。
【発明を実施するための最良の形態】
【００１１】
以下、本発明の実施形態を図面に基づいて詳述する。図１〜図６は本発明をパチンコ機に採用した第１の実施形態を例示している。図１において、遊技機本体１は、矩形状の外枠２と、この外枠２の前側に開閉自在に枢着された前枠３とを備えている。前枠３の前側には、ガラス扉４と前面板５とが上下に配置され、共に前枠３に開閉自在に枢支されている。
【００１２】
前面板５の前側には発射用の遊技球を貯留するための上皿６が配置され、また前面板５の下側で前枠３の前側には余剰球等を貯留する下皿７が配置されている。下皿７の一側、例えば向かって右側には、遊技球を発射する発射手段８を操作するための発射ハンドル８ａが、前枠３の前側に突出状に設けられている。
【００１３】
１１は遊技盤で、ガラス扉４の後側に対応するように、前枠３の裏側に着脱自在に装着されている。遊技盤１１の前面側には、図２に示すように、発射手段８により発射された遊技球を遊技領域１２の上部側に案内する外レール１３と、遊技領域１２の周囲を規定する内レール１４とが装着されると共に、その遊技領域１２内の略中央にセンターケース  （遊技部品）１５が配置され、更にそのセンターケース１５の周辺部には、例えばそのセンターケース１５の左側に普通図柄始動手段１６が、下側に特別図柄始動手段１７及び大入賞手段１８が配置される他、普通入賞手段１９、風車２０等の各種遊技部品及び遊技釘４７が配置されている。
【００１４】
センターケース１５は、図２等に示すように、例えば遊技盤１１の裏側に装着された液晶ディスプレイ２１用の表示窓２２を構成する表示枠体２３と、この表示枠体２３の下部側に配置されるステージ２４と、表示枠体２３の側方に設けられるワープ入球口（入球口）２５と、このワープ入球口２５に入球した遊技球をステージ２４に案内するワープ通路２６等を備えている。
【００１５】
表示枠体２３は、液晶ディスプレイ２１の左右の側縁部に沿って上下方向に配置される左枠部３１及び右枠部３２と、液晶ディスプレイ２１の上縁部側で左枠部３１と右枠部３２の上端側を左右に接続する上枠部３３と、液晶ディスプレイ２１の下縁部側で左枠部３１と右枠部３２の下端側を左右に接続する下枠部３４とを例えば一体に備えている。
【００１６】
上枠部３３は、例えばその右上部に可動演出部材等を含む装飾部材３５を備えると共に、上縁側は遊技球を左右何れかに流下させるように形成されている。また下枠部３４は、その左右方向中央が左右両側よりも下がった略Ｖ型に形成され、その上縁側に沿ってステージ２４が左右方向に配置されている。
【００１７】
ステージ２４は、ワープ入球口２５に入球した遊技球を左右方向に自由に転動させた後に前側に落下させるためのもので、横長状に形成された複数の転動路が前後方向に段差状に配置されている。また、下枠部３４には、ステージ２４上を転動した遊技球を前側に排出する球排出孔３４ａが左右方向中央に設けられると共に、その球排出孔３４ａの左右両側の上縁部に、球排出孔３４ａへの誘導経路を外れた遊技球を前側に落下させる球落下部３４ｂが設けられている。
【００１８】
ワープ入球口２５は、ステージ２４への入口であって、図３〜図６に示すように、前後一対の側壁３６，３７と、上下一対の上壁３８及び底壁３９とで矩形開口状に形成されており、例えば左枠部３１の外側面３１ａに、遊技盤１１の盤面に沿って斜め上向きに設けられている。
【００１９】
ワープ通路２６は、ワープ入球口２５の下流側と、ステージ２４の左端側に設けられたステージ出口２７（図２）とを遊技球流下可能に接続するもので、左枠部３１に沿って略上下方向に配置されている。ワープ入球口２５に入球した遊技球は、ワープ通路２６を流下してステージ出口２７からステージ２４上に排出され、このステージ２４上を自由に転動した後、中央の球排出孔３４ａ又はその左右の球落下部３４ｂから前側下方に落下するようになっている。
【００２０】
また、表示枠体２３上の例えば右枠部３２には、普通図柄表示手段４１、特別図柄表示手段４２等が配置されている。
【００２１】
普通図柄表示手段４１は、普通図柄を変動表示するためのもので、例えば「○」「×」の２種類の普通図柄に対応する２個の発光体（例えばＬＥＤ）により構成されており、普通図柄始動手段１６が遊技球を検出することを条件にそれら２つの発光体が所定時間交互に点滅して、当たり態様に対応する「○」側と外れ態様に対応する「×」側との何れかの発光体が発光した状態で点滅が終了するようになっている。
【００２２】
特別図柄表示手段４２は、１個又は複数個、例えば１個の特別図柄を変動表示可能な７セグメント式等の表示手段により構成されており、特別図柄始動手段１７が遊技球を検出することを条件に特別図柄を所定時間変動表示して、例えば大当たり態様に対応する「０」〜「９」の数字図柄と、例えば外れ態様に対応する「−」の記号図柄との何れかで停止するようになっている。
【００２３】
また、特別図柄表示手段４２による特別図柄の変動中は、その特別図柄の変動表示と時間的に同調するように液晶ディスプレイ２１上で１個又は複数個、例えば左右方向に３個の演出図柄が各種演出画像と共に変動表示されるようになっている。なお、演出図柄には例えば「０」〜「９」の１０種類の数字図柄が用いられ、「６・６・６」「７・７・７」等、３つの図柄が全て同じ図柄で揃ったものが大当たり態様、少なくとも１つの図柄が異なるものが外れ態様となっている。
【００２４】
普通図柄始動手段１６は、普通図柄表示手段４１による普通図柄の変動を開始させるためのもので、例えば遊技球が通過可能な通過ゲートにより構成されている。
【００２５】
特別図柄始動手段１７は、特別図柄表示手段４２による特別図柄の変動を開始させるためのもので、例えば開閉手段等を有しない非作動式の上始動入賞口４３と、開閉手段４４により開閉可能な作動式の下始動入賞口４５とを上下に備えており、上始動入賞口４３が球排出孔３４ａの真下となるようにセンターケース１５の下側に配置されている。従って、ワープ入球口２５からステージ２４に入った遊技球は、球排出孔３４ａから落下すれば高い確率で上始動入賞口４３に入賞する。なお、下始動入賞口４５は、普通図柄表示手段４１の変動後の停止図柄が当たり態様となったときに所定時間開状態に切り替えられるようになっている。
【００２６】
大入賞手段１８は、遊技球が入賞可能な開状態と入賞不可能な閉状態とに変化可能な開閉板４６を備えた作動式であって、特別図柄表示手段４２の変動後の特別図柄が大当たり態様となることに基づいて、開閉板４６が前側に所定期間開放して、その上に落下した遊技球を内部へと入賞させるように構成されている。
【００２７】
また、ワープ入球口２５の外側の遊技領域１２上には、特定遊技釘４７ａとワープ入球口２５の下部側との間にブリッジ部材５１が架設されている。
【００２８】
特定遊技釘４７ａは、遊技領域１２内に配置された多数の遊技釘４７のうち、ワープ入球口２５への入球率を変更する際に主に調整の対象となるもので、図３〜図６等に示すように、例えばワープ入球口２５の下部側からその開口方向、即ち斜め上方に少なくとも遊技球１個分の流下空間５２を隔てた位置に配置されている。
【００２９】
ブリッジ部材５１は、例えば合成樹脂により略矩形平板状に形成され、左右方向の一端側には例えば前後方向に設けられた例えば孔状の枢支部５３が、左右方向の他端側には長手方向（左右方向）に突出する係合部５４が夫々設けられている。なお、係合部５４は、ブリッジ部材５１の右縁部の例えば前側一部分にのみ設けられている。
【００３０】
そして、ブリッジ部材５１は、枢支部５３に挿通された特定遊技釘（回転軸の一例）４７ａによりその軸廻りに回転自在に支持され、係合部５４がワープ入球口２５側の被係合部５５に上側から係合することにより、特定遊技釘４７ａとワープ入球口２５の下部側との間にワープ入球口２５側が低い傾斜状に架設されている。なお、被係合部５５はワープ入球口２５の下縁側に沿って例えば切欠状に形成されており、係合部５４が被係合部５５に係合したとき、ブリッジ部材５１の上面側とワープ入球口２５の底壁３９の上面側とが滑らかに連通するようになっている。
【００３１】
このように、流下空間５２はブリッジ部材５１により閉鎖され、ブリッジ部材５１の上側に落下してきた遊技球はワープ入球口２５側に案内されるようになっている。
【００３２】
また、ブリッジ部材５１の係合部５４とワープ入球口２５側の被係合部５５との係合幅は、特定遊技釘４７ａの曲がり角度が所定範囲を外れたときに、係合部５４が被係合部５５から外れて非係合状態となるように設定されている。
【００３３】
ここで、特定遊技釘４７ａの曲がり角度に関する所定範囲は、釘調整において想定される角度範囲と略同じか若干広い範囲に設定すればよい。即ち、釘調整において特定遊技釘４７ａをワープ入球口２５側とは反対側に曲げる場合の上限角度を例えば５度とすると、特定遊技釘４７ａの曲がり角度が５度を超えたときに係合部５４が被係合部５５から外れるように係合部５４と被係合部５５との係合幅を設定すればよい（図５及び図６に一点鎖線で示す）。
【００３４】
なお、特定遊技釘４７ａが曲げられたとき、その変位量は特定遊技釘４７ａの根元側から先端側にいくほど大きくなるのが普通であるため、係合部５４は、その特定遊技釘４７ａの先端側に対応するようにブリッジ部材５１の前側の一部分、例えば前側略１／２の範囲にのみ設けている（図６参照）。これにより、特定遊技釘４７ａの曲げに対する係合部５４と被係合部５５との係合幅の変動量を大きくすることができ、特定遊技釘４７ａの曲がり角度が所定範囲を外れたときに係合部５４が被係合部５５から確実に外れるような設定を容易に行うことができる利点がある。
【００３５】
ブリッジ部材５１が非係合状態になると流下空間５２が開放されるため（図５及び図６に二点差線で示す）、特定遊技釘４７ａとワープ入球口２５との間に落下してきた遊技球はその流下空間５２を通過して遊技領域１２の下部側に流下する。
【００３６】
以上説明したように、本実施形態のパチンコ機では、ワープ入球口２５から少なくとも遊技球１個分の流下空間５２を隔てて配置された特定遊技釘４７ａによりその軸廻りに回転自在に支持されたブリッジ部材５１を備え、このブリッジ部材５１は、特定遊技釘４７ａの曲がり角度が例えば釘調整範囲内にあるときにその自由端側の係合部５４がワープ入球口２５側の被係合部５５に係合する係合状態となり、特定遊技釘４７ａの曲がり角度が釘調整範囲を外れたときに係合部５４が被係合部５５から外れて非係合状態となるように構成され、係合状態のブリッジ部材５１は流下空間５２を閉鎖して遊技球をワープ入球口２５側に誘導し、非係合状態のブリッジ部材５１は流下空間５２を開放して遊技球を遊技領域１２の下部側へ誘導するように構成されているため、特定遊技釘４７ａに対して釘調整範囲を超えるような不正な釘曲げが行われた場合には流下空間５２が開放されてワープ入球口２５への入球率は大きく低下することとなり、結局釘曲げゴトによる目的を達成することはできないから、釘曲げゴト行為を効果的に防止できる。
【００３７】
また、被係合部５５を、ブリッジ部材５１の前後方向全範囲のうち、特定遊技釘４７ａの曲げに対する変位量が大きい前側一部分にのみ設けているため、特定遊技釘４７ａの曲げに対する係合部５４と被係合部５５との係合幅の変動量を大きくすることができ、特定遊技釘４７ａの曲がり角度が所定範囲を外れたときに係合部５４が被係合部５５から確実に外れるような設定を容易に行うことができる利点がある。
【００３８】
図７及び図８は本発明の第２の実施形態、図９及び図１０は本発明の第３の実施形態を例示し、共にブリッジ部材５１側の係合部５４とワープ入球口２５側の被係合部５５とをブリッジ部材５１の正逆両回転方向に係合させた例を示している。
【００３９】
図７及び図８に示す第２の実施形態では、係合部５４はブリッジ部材５１の自由端側に沿って例えばその前側一部分に凸状に設けられ、被係合部５５はワープ入球口２５の外側面３１ａに係合部５４が嵌合可能な凹状に設けられており、その係合状態のとき、ブリッジ部材５１はその正逆両方向への回転が阻止されるように構成されている。
【００４０】
一方、図９及び図１０に示す第３の実施形態では、係合部５４はブリッジ部材５１の自由端側に沿って凹状に設けられ、被係合部５５はワープ入球口２５の外側面３１ａに係合部５４に嵌合可能な凸状に設けられており、その係合状態のとき、ブリッジ部材５１は正逆両方向への回転が阻止されるように構成されている。なお、被係合部５５は、ブリッジ部材５１側の前側一部分にのみ対応するように設けられている。
【００４１】
これら第２，第３の実施形態のように、ブリッジ部材５１側の係合部５４とワープ入球口２５側の被係合部５５とをブリッジ部材５１の正逆両回転方向に係合させることにより、遊技球の衝突による反動等によってブリッジ部材５１が跳ね上がるような不具合を防止できる。
【００４２】
図１１は本発明の第４の実施形態を例示し、ブリッジ部材５１に、特定遊技釘４７ａの先端側に対応する切欠部５１ａを設けた例を示している。
【００４３】
本実施形態は、図７及び図８に示す第２の実施形態を一部変更したもので、図１１に示すように、ブリッジ部材５１には、特定遊技釘４７ａの先端側に対応して切欠部５１ａが形成されている。この切欠部５１ａは、特定遊技釘４７ａの先端側からブリッジ部材５１までの間隔が一定以上となるように例えば略三角形状に形成されている。
【００４４】
なお、切欠部５１ａは、遊技球が通過不能で且つ流下中の遊技球を停留させない範囲でできるだけ大きく形成することが望ましい。以上のように構成することで、特定遊技釘４７ａの釘調整作業がやりやすくなる利点がある。
【００４５】
図１２及び図１３は本発明の第５の実施形態を例示し、ブリッジ部材５１を、ワープ入球口２５側に設けられた前後方向の回転軸６１により回転自在に支持させた例を示している。
【００４６】
図１２及び図１３に示すように、本実施形態のブリッジ部材５１は、左右方向の一端側に枢支部５３が、左右方向の他端側に係合部５４が夫々設けられており、ワープ入球口２５の下縁側に沿って前後方向に配置された回転軸６１に枢支部５３が挿通されることにより回転自在に支持されると共に、係合部５４が特定遊技釘４７ａに係合することにより、特定遊技釘４７ａとワープ入球口２５との間にワープ入球口２５側が低い傾斜状に架設されている。
【００４７】
係合部５４は、ブリッジ部材５１の左縁部に沿って例えば凹入状に形成されており、特定遊技釘４７ａに対してその軸部を上下両側から挟み込むように係合している。なお、係合部５４は、例えばブリッジ部材５１の左縁部の前側一部分、例えば前側略１／２の範囲にのみ設けられている。
【００４８】
係合部５４と特定遊技釘４７ａとの係合幅は、特定遊技釘４７ａの曲がり角度が所定範囲、例えば釘調整範囲を外れたときに、係合部５４が被係合部５５から外れて非係合状態となるように設定されており、第１〜第４の実施形態と同様、特定遊技釘４７ａに対して釘調整範囲を超えるような不正な釘曲げが行われた場合には流下空間５２が開放されてワープ入球口２５への入球率は大きく低下することとなり、結局釘曲げゴトによる目的を達成することはできないから、釘曲げゴト行為を効果的に防止できる。
【００４９】
図１４及び図１５は本発明の第６の実施形態を例示し、ブリッジ部材５１を、遊技盤１１と平行に設けられた略左右方向の回転軸６１により回転自在に支持させた例を示している。
【００５０】
図１４及び図１５に示すように、本実施形態のブリッジ部材５１は、前後方向の一端側、例えば後端側に枢支部５３が、左右方向の特定遊技釘４７ａ側端部に係合部５４が夫々設けられており、例えば遊技盤１１の前面側に沿って略左右方向に配置された回転軸６１に枢支部５３が挿通されることにより回転自在に支持されると共に、係合部５４が特定遊技釘４７ａに係合することにより、特定遊技釘４７ａとワープ入球口２５との間にワープ入球口２５側が低い傾斜状に架設されている。なお、回転軸６１は例えばセンターケース１５側に設けられている。
【００５１】
そして、係合部５４と特定遊技釘４７ａとの係合幅は、特定遊技釘４７ａの曲がり角度が所定範囲、例えば釘調整範囲を外れたときに、係合部５４が被係合部５５から外れて非係合状態となるように設定されており、第１〜第５の実施形態と同様、特定遊技釘４７ａに対して釘調整範囲を超えるような不正な釘曲げが行われた場合には流下空間５２が開放されてワープ入球口２５への入球率は大きく低下することとなり、結局釘曲げゴトによる目的を達成することはできないから、釘曲げゴト行為を効果的に防止できる。
【００５２】
以上のように、ブリッジ部材５１を回転自在に支持する回転軸は、必ずしも前後方向に向けて配置する必要はなく、遊技盤１１の盤面に平行に配置してもよい。
【００５３】
以上、本発明の実施形態について詳述したが、本発明はこれらの実施形態に限定されるものではなく、本発明の趣旨を逸脱しない範囲で種々の変更が可能である。例えば、ブリッジ部材５１を配置する対象となる入球口２５は、必ずしもステージ２４への入口としてのワープ入球口２５に限られるものではなく、例えば通常の入賞口であってもよい。
【００５４】
ブリッジ部材５１を特定遊技釘４７ａ以外の回転軸６１により回転自在に支持する場合、回転軸６１は、入球口２５を備えた遊技部品以外の遊技部品、或いは遊技盤１１に固定してもよい。
【００５５】
また本発明は、パチンコ機に限らず、アレンジボール機、雀球遊技機等の各種の弾球遊技機においても同様に実施することが可能である。
【図面の簡単な説明】
【００５６】
【図１】本発明の第１の実施形態を示すパチンコ機の全体正面図である。
【図２】本発明の第１の実施形態を示すパチンコ機の遊技盤の正面図である。
【図３】本発明の第１の実施形態を示すパチンコ機の要部正面図である。
【図４】本発明の第１の実施形態を示すパチンコ機の要部斜視図である。
【図５】本発明の第１の実施形態を示すパチンコ機の要部正面断面図である。
【図６】本発明の第１の実施形態を示すパチンコ機の要部平面断面図である。
【図７】本発明の第２の実施形態を示すパチンコ機の要部正面断面図である。
【図８】本発明の第２の実施形態を示すパチンコ機の要部平面断面図である。
【図９】本発明の第３の実施形態を示すパチンコ機の要部正面断面図である。
【図１０】本発明の第３の実施形態を示すパチンコ機の要部平面断面図である。
【図１１】本発明の第４の実施形態を示すパチンコ機の要部平面断面図である。
【図１２】本発明の第５の実施形態を示すパチンコ機の要部正面断面図である。
【図１３】本発明の第５の実施形態を示すパチンコ機の要部平面断面図である。
【図１４】本発明の第６の実施形態を示すパチンコ機の要部平面断面図である。
【図１５】本発明の第６の実施形態を示すパチンコ機の要部斜視図である。
【符号の説明】
【００５７】
１１  遊技盤
１２  遊技領域
１５  センターケース（遊技部品の一例）
２５  ワープ入球口（入球口）
４７  遊技釘
４７ａ  特定遊技釘（回転軸の一例）
５１  ブリッジ部材
５２  流下空間
５４  係合部
５５  被係合部
６１  回転軸
【図１】
2008253652.tif 000003
【図２】
2008253652.tif 000004
【図３】
2008253652.tif 000005
【図４】
2008253652.tif 000006
【図５】
2008253652.tif 000007
【図６】
2008253652.tif 000008
【図７】
2008253652.tif 000009
【図８】
2008253652.tif 000010
【図９】
2008253652.tif 000011
【図１０】
2008253652.tif 000012
【図１１】
2008253652.tif 000013
【図１２】
2008253652.tif 000014
【図１３】
2008253652.tif 000015
【図１４】
2008253652.tif 000016
【図１５】
2008253652.tif 000017